(57)【要約】    【課題】  ランプインバータの異常検出の信頼性の向上。接続不良の識別を容易にする。異常検出の設定／解除を容易にする。    【解決手段】  照明ランプを点灯付勢し付勢異常を検出する点灯駆動回路２１２；および、点灯駆動回路に点灯指示を与えない期間に付勢異常信号Ａ，Ｂ線の電位を参照して信号線接続不良（異常１）を判定し、点灯指示を与えている期間に付勢異常信号Ａ，Ｂ線の電位を参照してランプ点灯異常（異常２，３）を判定する照明制御手段２１７；を備える。更に、点灯駆動回路へのランプ点灯電力を供給／停止するリレー２０１および報知手段２２０を備え；制御手段２１７は、接続不良を判定するとそれを報知し、ランプ点灯異常を判定するとリレー２０１による給電を停止しランプ点灯異常を報知する。更に、異常検知／非検知を指定する指示情報ＦＬａｂを設定する手段２２０を備える。  【選択図】  図１０
2006319521.tif 000002
【特許請求の範囲】
【請求項１】
照明ランプ；
該照明ランプを点灯付勢し付勢異常を検出する点灯駆動回路；および、
前記点灯駆動回路に点灯指示を与えない期間に前記点灯駆動回路の付勢異常信号線の電位を参照して信号線の接続不良を判定し、前記点灯駆動回路に点灯指示を与えている期間に前記点灯駆動回路の付勢異常信号線の電位を参照してランプ点灯異常を判定する照明制御手段；
を備える照明装置。
【請求項２】
照明装置は更に、前記点灯駆動回路へのランプ点灯電力を供給／停止する給電手段および報知手段を備え；前記照明制御手段は、前記接続不良を判定すると前記報知手段にて接続不良を報知し、前記ランプ点灯異常を判定すると前記給電手段によるランプ点灯電力の給電を停止し前記報知手段にてランプ点灯異常を報知する；請求項１に記載の照明装置。
【請求項３】
照明装置は更に、異常検知／非検知を指定する指示情報を設定する手段を備え；前記照明制御手段は、前記指示情報が異常検知を指定する場合に前記ランプ点灯異常を判定し、前記指示情報が非検知を指定しているときは、前記付勢異常信号線の電位の参照および判定の過程を省略する；請求項１又は２に記載の照明装置。
【請求項４】
前記点灯駆動回路は、ランプ電源をスイッチングして昇圧し昇圧出力をフィードバック制御により定電圧化するスイッチングレギュレータ、および、前記昇圧出力を昇圧して前記照明ランプに印加するインバータを含み；
該スイッチングレギュレータは、出力異常を検知する比較器、および、制御電源のオン直後に初期化されて高レベルＨ出力を保持し、前記比較器の異常検知信号によって前記高レベルＨ出力を低レベルＬ出力に切換えて保持する信号保持手段を含み；該信号保持手段の出力を前記付勢異常信号線を介して前記照明制御手段に出力する；
請求項１乃至３のいずれか１つに記載の照明装置。
【請求項５】
前記付勢異常信号線と照明制御手段との間に、ノイズを遮断するためのフィルタを介挿した；請求項１乃至４のいずれか１つに記載の照明装置。
【請求項６】
請求項１乃至５のいずれか１つに記載の照明装置；
前記照明ランプと、それによって照明される原稿の一方を副走査駆動する駆動手段；
光像を画像信号に変換し副走査方向と直交する主走査方向のライン区分で画像信号を出力する撮像素子および該画像信号を画像データにデジタル変換するＡ／Ｄ変換手段；および、
前記照明ランプによって照明された原稿の反射光を前記撮像素子に投影する光学手段；
を備える画像読取装置。
【請求項７】
請求項６に記載の画像読取装置；
画像データが表す画像を用紙上に形成するプリンタ；および、
前記画像読取装置が発生した前記画像データを、前記プリンタの画像形成に適合する画像データに変換して前記プリンタに出力する画像データ処理装置；
を備える画像形成装置。
【発明の詳細な説明】
【技術分野】
【０００１】
本発明は、照明装置、特に、これに限定する意図ではないが、画像読取装置に用いられる原稿照明装置に関する。この照明装置は例えば、画像スキャナ，複写機およびファクシミリ装置に用いることができる。
【背景技術】
【０００２】
例えば画像スキャナ原稿を照射するためのランプを駆動するインバータにおいて、原稿走査中にインバータの異常でランプが消灯した場合、不良画像が形成されてしまうおそれがある。ところが、不良画像発生の要因は必ずしもインバータの異常とは限らないため、原因究明に手間がかかるという不便があった。この問題を解消する目的で、異常放電等の故障が生じた場合に、その異常を検知して外部へ通知するための出力端子を持つインバータが考案されている。
【０００３】
【特許文献１】特開２０００−１０１７８９号公報
【特許文献２】特開２０００−３０６６８９号公報
【特許文献３】特開２００１−００７９９３号公報。
【０００４】
特許文献１には、原稿照明ランプを点灯する安定化電源において断線検知および交流入力検知を行って、両検知結果を照合して安定化電源における断線および交流入力異常を判定する画像形成装置が記載されている。特許文献２には、放電ランプの電流ピーク値を検出してそれが設定範囲を外れるとインバータ動作を停止し異常発生を表示する、放電ランプの異常検出装置が記載されている。特許文献３には、インバータに駆動電流検出回路，異常放電検出回路および電流レベル検出回路を備えて、キセノンランプの駆動異常を外部に表示し、また、ＣＣＤの出力からキセノンランプの異常を検出する原稿読取装置が記載されている。
【発明の開示】
【発明が解決しようとする課題】
【０００５】
ランプインバータ回路の異常放電等による異常を検知して、外部へ通知するための出力端子を持つランプインバータは、ランプ消灯などの異常発生時に、黒ベタなどの画像が読み取られてしまう不具合の解消、または不良画像が読み取られた場合における要因の特定を迅速にするために考案されたものである。しかし、ランプインバータの異常検知信号は、異常を検知した場合、信号線の出力だけではインバータの故障なのか接続不良によるものなのかを識別することができず、原因の特定に時間がかかることがある。すなわち、異常検知するインバータを有する画像読取装置では、異常検知の信頼性が保証されていなければ、接続不良や誤検知によって、正確に異常を検出して必要な処理を施すことができなくなる。そればかりか、インバータの異常と勘違いして接続不良や誤検知を放置したまま問題を解消できなくなる可能性があり、このような状態では、画像読取装置全体に関わる不具合を引き起こす恐れもある。
【０００６】
本発明は、異常検出の信頼性を向上することを第１の目的とし、接続不良の識別を容易にすることを第２の目的とし、簡単な異常検出機構で異常検出をすることを第３の目的とし、異常検出の設定／解除を容易にすることを第４の目的とする。
【課題を解決するための手段】
【０００７】
（１）照明ランプ(232a)；
該照明ランプを点灯付勢し付勢異常を検出する点灯駆動回路(212)；および、
前記点灯駆動回路に点灯指示を与えない期間に前記点灯駆動回路の付勢異常信号線の電位を参照して信号線の接続不良(異常１)を判定し、前記点灯駆動回路に点灯指示を与えている期間に前記点灯駆動回路の付勢異常信号線の電位を参照してランプ点灯異常(異常２，３)を判定する照明制御手段(217)；
を備える照明装置。
【０００８】
なお、理解を容易にするために括弧内には、図面に示し後述する実施例の対応要素の符号又は対応事項を、例示として参考までに付記した。以下も同様である。
【発明の効果】
【０００９】
接続不良とランプ点灯異常を識別できるので、異常の原因をすばやく特定できる。
【発明を実施するための最良の形態】
【００１０】
（２）照明装置は更に、前記点灯駆動回路(212)へのランプ点灯電力を供給／停止する給電手段(201)および報知手段(220)を備え；前記照明制御手段(217)は、前記接続不良を判定すると前記報知手段にて接続不良を報知し、前記ランプ点灯異常を判定すると前記給電手段によるランプ点灯電力の給電を停止し前記報知手段にてランプ点灯異常を報知する；上記（１）に記載の照明装置。これによれば、異常の種類を通知して、適切な異常時処理を迅速に実施することができ、装置全体の安全性が向上する。
【００１１】
（３）照明装置は更に、異常検知／非検知を指定する指示情報(FLab：「１」／「０」)を設定する手段(220)を備え；前記照明制御手段(217)は、前記指示情報が異常検知を指定する場合に前記ランプ点灯異常(異常２，３)を判定し、前記指示情報が非検知を指定しているときは、前記付勢異常信号線の電位の参照および判定の過程を省略する；上記（１）又は（２）に記載の照明装置。これによれば、点灯駆動回路の異常検知を許可，不許可することができるので、異常状態を通知するための出力端子を待たない点灯駆動回路を搭載することも可能で、また試作時あるいは製品試験時に異常検知が不要な場合への対応をすることができる。あるいは誤検知が頻発するような不具合が起こる場合に、照明装置の駆動を行うことができる。
【００１２】
（４）前記点灯駆動回路(212)は、ランプ電源をスイッチングして昇圧し昇圧出力をフィードバック制御により定電圧化するスイッチングレギュレータ(203a)、および、前記昇圧出力を昇圧して前記照明ランプ(232a)に印加するインバータ(204a)を含み；
該スイッチングレギュレータ(203a)は、出力異常を検知する比較器(75a,76a)、および、制御電源のオン直後に初期化されて高レベルＨ出力を保持し、前記比較器の異常検知信号によって前記高レベルＨ出力を低レベルＬ出力に切換えて保持する信号保持手段(71a)を含み；該信号保持手段の出力を前記付勢異常信号線を介して前記照明制御手段(217)に出力する；上記（１）乃至（３）のいずれか１つに記載の照明装置。
【００１３】
（５）前記付勢異常信号線と照明制御手段(217)との間に、ノイズを遮断するためのフィルタ(215a)を介挿した；上記（１）乃至（４）のいずれか１つに記載の照明装置。これによれば、誤検知の要因となるノイズを遮断するフィルタを持つことで、誤検知を防止して異常検知機能の信頼性を向上させることができる。
【００１４】
（６）上記（１）乃至（５）のいずれか１つに記載の照明装置；
前記照明ランプ(232a)と、それによって照明される原稿の一方を副走査駆動する駆動手段；
光像を画像信号に変換し副走査方向と直交する主走査方向のライン区分で画像信号を出力する撮像素子(207)および該画像信号を画像データにデジタル変換するＡ／Ｄ変換手段(212)；および、
前記照明ランプ(232a)によって照明された原稿の反射光を前記撮像素子(207)に投影する光学手段(233-236)；
を備える画像読取装置(210)。
【００１５】
（６）上記（６）に記載の画像読取装置(210)；
画像データが表す画像を用紙上に形成するプリンタ(PTR)；および、
前記画像読取装置(210)が発生した前記画像データを、前記プリンタ(PTR)の画像形成に適合する画像データに変換して前記プリンタ(PTR)に出力する画像データ処理装置(ACP)；
を備える画像形成装置（図1-4）。
【００１６】
本発明の他の目的および特徴は、図面を参照した以下の実施例の説明より明らかになろう。
【実施例１】
【００１７】
図１に、本発明の第１実施例の照明装置を装備した複合機能フルカラーデジタル複写機を示す。このフルカラー複写機は、大略で、自動原稿送り装置（ＡＤＦ）２３０と、操作ボード２２０と、カラースキャナ２１０と、カラープリンタＰＴＲおよびフィニッシャ１００の各ユニットで構成されている。なお、操作ボード２２０，ＡＤＦ２３０付きのカラースキャナ２１０およびフィニッシャ１００は、プリンタＰＴＲから分離可能なユニットであり、カラースキャナ２１０は、動力機器ドライバやセンサ入力およびコントローラを有する制御ボードを有して、画像データ処理装置ＡＣＰ（図４）と通信を行いタイミング制御されて原稿画像の読み取りを行う。パソコンＰＣは、ＬＡＮ(Local Area Network)を介して複写機の画像データ処理装置ＡＣＰ（図４）に接続されている。ファクシミリコントロールユニットＦＣＵ（図４）には、電話回線ＰＮ（ファクシミリ通信回線）に接続された交換器ＰＢＸが接続されている。カラープリンタＰＴＲのプリント済の用紙は、フィニッシャ１００に排出される。
【００１８】
図２に、カラープリンタＰＴＲの機構を示す。この実施例のカラープリンタＰＴＲは、レーザプリンタである。１色のトナー像を形成する、感光体１５および現像器２７ならびに図示を省略したチャージャ，クリーニング装置および転写器の組体（作像ユニット）は、Ｂｋ（黒），Ｃ（シアン），Ｍ（マゼンタ）およびＹ（イエロー）のそれぞれの作像用に一組、合せて４組があり、搬送ベルト１６に沿ってタンデムに配列されており、それらによって形成された各色トナー像が順次に一枚の転写紙上に重ねて転写される。
【００１９】
第１トレイ８，第２トレイ９および第３トレイ１０に積載された転写紙は、各々第１給紙装置１１，第２給紙装置１２および第３給紙装置１３によって給紙され、縦搬送ユニット１４によって感光体１５に当接する位置まで搬送される。スキャナ５０にて読み込まれた画像データは、書込ユニット６０からのレーザー露光によって、図示を省略したチャージャによって均一に荷電した感光体１５に書込まれこれにより静電潜像を形成する。この静電潜像が現像ユニット２７を通過することによって感光体１５上にトナー像が現れる。転写紙が感光体１５の回転と等速で搬送ベルト１６によって搬送されながら、感光体１５上のトナー像が転写される。その後、定着ユニット１７にて画像を定着させ、排紙ユニット１８によって後処理装置のフィニシャ１００に排出される。
【００２０】
図２に示す、後処理装置のフィニシャ１００は、本体の排紙ユニット１８によって搬送された転写紙を、通常排紙ローラ１０３方向と、ステープル処理部方向へ導く事ができる。切り替え板１０１を上に切り替える事により、搬送ローラ１０３を経由して通常排紙トレイ１０４側に排紙する事ができる。また、切り替え板１０１を下方向に切り替える事で、搬送ローラ１０５，１０７を経由して、ステープル台１０８に搬送する事ができる。ステープル台１０８に積載された転写紙は、一枚排紙されるごとに紙揃え用のジョガー１０９によって、紙端面が揃えられ、一部のコピー完了と共にステープラ１０６によって綴じられる。ステープラ１０６で綴じられた転写紙群は自重によって、ステープル完了排紙トレイ１１０に収納される。
【００２１】
一方、通常の排紙トレイ１０４は前後（図２紙面と垂直な方向）に移動可能な排紙トレイである。前後に移動可能な排紙トレイ部１０４は、原稿毎、あるいは、画像メモリによってソーティングされたコピー部毎に、前後に移動し、簡易的に排出されてくるコピー紙を仕分けるものである。
【００２２】
転写紙の両面に画像を作像する場合は、各給紙トレイ８〜１０から給紙され作像された転写紙を排紙トレイ１０４側に導かないで、経路切り替えの為の分岐爪１９を下向きに廻す事で、一旦反転ユニット１１２に導き、そして両面給紙ユニット１１１にストックする。
【００２３】
その後、両面給紙ユニット１１１にストックされた転写紙は再び感光体１５に作像されたトナー画像を転写するために、両面給紙ユニット１１１から再給紙され、経路切り替えの為の分岐爪１１２を図示水平に戻し、排紙トレイ１０４に導く。この様に転写紙の両面に画像を作成する場合に、反転ユニット１１２および両面給紙ユニット１１１が使用される。
【００２４】
感光体１５，搬送ベルト１６，定着ユニット１７，排紙ユニット１８および現像ユニット２７は、図示を省略したメインモータによって駆動され、各給紙装置１１〜１３はメインモータの駆動を、やはり図示を省略した各給紙クラッチによって伝達することにより駆動される。縦搬送ユニット１４は、メインモータの駆動を図示を省略した中間クラッチによって伝達することにより駆動される。
【００２５】
図３に、スキャナ２１０およびそれに装着されたＡＤＦ２３０の、原稿画像読み取り機構を示す。このスキャナ２１０のコンタクトガラス２３１上に置かれた原稿は、照明ランプ２３２ａ，２３２ｂにより照明され、原稿の反射光（画像光）が第１ミラー２３３で副走査方向ｙと平行に反射される。照明ランプ２３２ａ，２３２ｂおよび第１ミラー２３３は、図示しない、副走査方向ｙに定速駆動される第１キャリッジに搭載されている。第１キャリッジと同方向にその１／２の速度で駆動される、図示しない第２キャリッジには第２および第３ミラー２３４，２３５が搭載されており、第１ミラー２３３が反射した画像光は第２ミラー２３４で下方向（ｚ）に反射され、そして第３ミラー２３５で副走査方向ｙに反射されて、レンズ２３６により集束され、ＣＣＤ２０７に照射され、電気信号に変換される。第１および第２キャリッジは、走行体モーター２３８を駆動源として、ｙ方向に往（フォワード；原稿走査），復（リタ−ン）駆動される。このようにスキャナ２１０は、コンタクトガラス２３１上の原稿をランプ２３２およびミラー２３３で走査して原稿画像をＣＣＤ２０７に投影するフラットベッド方式の原稿スキャナであるが、シートスルー読み取りも可能なように、第１キャリッジがホームポジション（待機位置）ＨＰで停止しているときの第１ミラー２３３の読み取り視野位置に、シートスルー読み取り窓であるガラス２４０があり、このガラス２４０の上方に自動原稿供給装置(ＡＤＦ)２３０が装着されており、ＡＤＦ２３０の搬送ドラム（プラテン）２４４がガラス２４０に対向している。
【００２６】
ＡＤＦ２３０の原稿トレイ２４１に積載された原稿は、ピックアップローラ２４２およびレジストローラ対２４３で搬送ドラム２４４と押さえローラ２４５の間に送り込まれて、搬送ドラム２４４に密着して読み取りガラス２４０の上を通過し、そして排紙ローラ２４６，２４７で、原稿トレイ２４１の下方の圧板兼用の排紙トレイ２４８上に排出される。
【００２７】
原稿の表面の画像は、原稿読取窓である読み取りガラス２４０を通過する際に、その直下に移動している照明ランプ２３２により照射され、原稿の表面の反射光は、第１ミラー２３３以下の光学系を介してＣＣＤ２０７に照射され光電変換される。すなわちＲＧＢ各色画像信号に変換される。搬送ドラム２４４の表面は、読み取りガラス２４０に対向する白色背板であり、白基準面となるように白色である。
【００２８】
読み取りガラス２４０と原稿始端の位置決め用のスケール２５１との間には、基準白板２３９、ならびに、第１キャリッジを検出する基点センサ２４９がある。基準白板２３９は、照明ランプ２３２の個々の発光強度のばらつき，また主走査方向のばらつきや、ＣＣＤ２０７の画素毎の感度ムラ等が原因で、一様な濃度の原稿を読み取ったにもかかわらず、読み取りデータがばらつく現象を補正（シェーディング補正）するために用意されている。
【００２９】
ランプ２３２ａ，２３２ｂは、光量が多いキセノンランプである。第１，第２キャリッジを走査駆動するモータ２３８は、ステッピングモータあるいはサーボモータを用いるが、図示例では、ＤＣサーボモータを用い、モータ制御基板２１６（図５）上のモータドライバによって、正，逆回転駆動（往復駆動）する。ＣＣＤ２０７を搭載した画像読取基板２１２（図５）、そのほか図に表記していないが、ユニット内温度センサ、冷却用ファン等もスキャナ２１０内にある。
【００３０】
ＡＤＦ２３０の基体２４８は、奥側（図３紙面の裏側）でスキャナ２１０の基体にヒンジ結合（蝶番連結）しており、基体２４８の手前側（図３紙面の表側）の取っ手２５０ｍを持ってＡＤＦ２３０の基体２４８引き上げることにより、ＡＤＦ２３０を、コンタクトガラス２３１に略６０度をなす起立姿勢まで起こすことができる。
【００３１】
前述の第１キャリッジおよび第２キャリッジの副走査方向ｙの往復光路の下方の、キャリッジの副走査方向の移動に緩衝しない位置に、副走査方向ｙの原稿サイズ判定用の、反射型光センサＳｙ１〜Ｓｙ６が配置されており、これらのセンサの、コンタクトガラス２３１に垂直な方向（ｚ）の検出位置は、コンタクトガラス２３１の上面（ガラス２３１に載置された原稿のガラス接触面）に設定されている。
【００３２】
図４に、図１に示す複写機の画像処理系統のシステム構成を示す。このシステムでは、読取ユニット２１１と画像データ出力Ｉ／Ｆ(Interface：インターフェース)２１２でなるカラー原稿スキャナ２１０が、画像データ処理装置ＡＣＰの画像データインターフェース制御ＣＤＩＣ（以下単にＣＤＩＣと表記）に接続されている。画像データ処理装置ＡＣＰにはまた、カラープリンタＰＴＲが接続されている。カラープリンタＰＴＲは、画像データ処理装置ＡＣＰの画像データ処理器ＩＰＰ（以下では単にＩＰＰと記述）から、書込みＩ／Ｆ１３４にＹＭＣＫ記録画像データを受けて、作像ユニット１３５でプリントアウトする。作像ユニット１３５は、図２に示すものである。
【００３３】
画像データ処理装置ＡＣＰ（図４）はルータに接続されており、該ルータには、パソコンＰＣが接続したＬＡＮのハブ（図示略）およびインターネットに接続したモデム（図示略）が接続されており、画像データ処理装置ＡＣＰは、ＬＡＮに接続した機器（例えば、パソコンＰＣ，サーバＤＳＲ，プリンタ，スキャナ，複合機能複写機など）と通信して画像データの送，受信をすることができる。また、インターネットを介して、インターネット通信機能がある他の機器と通信して画像データの送，受信をすることができる。ＬＡＮのハブに接続された配信サーバＤＳＲは、それに送信された又は蓄積したファイル（メール，画像）を、指定された又は登録された宛て先（ＬＡＮ接続機器又はインターネット接続機器）に配信するコンピュータである。
【００３４】
画像データ処理装置ＡＣＰ（以下では単にＡＣＰと記述）は、パラレルバスＰｂ，画像メモリアクセス制御ＩＭＡＣ（以下では単にＩＭＡＣと記述），画像メモリＭＥＭ（メモリモジュール；以下では単にＭＥＭと記述），ハードディスク装置ＨＤＤ（以下では単にＨＤＤと記述），システムコントローラ３１ａ，ＲＡＭ３４，不揮発メモリ３５，フォントＲＯＭ３６，ＣＤＩＣ，ＩＰＰ等、を備える。パラレルバスＰｂには、ファクシミリ制御ユニットＦＣＵ（以下単にＦＣＵと記述）を接続している。操作ボード２２０はシステムコントローラ３１ａに接続している。
【００３５】
カラー原稿スキャナ２１０の、原稿を光学的に読み取る読取ユニット２１１のＣＣＤ２０７の撮像素子が発生するＲＧＢ画像信号は、センサボードユニットＳＢＵ上で信号処理しかつＲＧＢ画像データに変換しかつシェーディング補正して、出力Ｉ／Ｆ２１２を介してＣＤＩＣに送出する。
【００３６】
ＣＤＩＣは、画像データに関し、出力Ｉ／Ｆ２１２，パラレルバスＰｂ，ＩＰＰ間のデータ転送，プロセスコントローラ１３１とＡＣＰの全体制御を司るシステムコントローラ３１ａとの間の通信をおこなう。また、ＲＡＭ１３２はプロセスコントローラ１３１のワークエリアとして使用され、不揮発メモリ１３３はプロセスコントローラ１３１の動作プログラム等を記憶している。半導体メモリＭＥＭの他に、多くの画像データを収納するためにＨＤＤがある。ＨＤＤを用いる事により、外部電源が不要で永久的に画像を保持できる特徴もある。多くの原稿の画像をスキャナで読み込んでＨＤＤに保持し、また、ＰＣが与える多くのドキュメント画像を保持できる。
【００３７】
画像メモリアクセス制御ＩＭＡＣ（以下では単にＩＭＡＣと記述）は、パソコンのハードウエアおよびソフトウエアと同等のものを備えており、ＭＥＭおよびＨＤＤに対する画像データ，制御データの書き込み／読み出しを制御する他に、ｗｗｗサーバ（ソフト），ＦＴＰサーバ（ソフト），ＳＭＴＰサーバ（ソフト），ＤＨＣＰサーバ（ソフト）およびその他のファイル，メールの送受信に使用するサーバ（ソフト）がセットアップされている。なお、これらのソフト（プログラム）はＨＤＤに格納されている。
【００３８】
システムコントローラ３１ａは、パラレルバスＰｂに接続される各構成部の動作を制御する。また、ＲＡＭ３４はシステムコントローラ３１ａのワークエリアとして使用され、不揮発メモリ３５はシステムコントローラ３１ａの動作プログラム等を記憶している。
【００３９】
操作ボード２２０は、ＡＣＰがおこなうべき処理を入力する。たとえば、処理の種類（複写、ファクシミリ送信、画像読込、プリント等）および処理の枚数等を入力する。これにより、画像データ制御情報の入力をおこなうことができる。
【００４０】
スキャナ２１０およびＡＤＦのＣＣＤ２０７で読取ったＲＧＢ画像データは、ＩＰＰで、スキャナガンマ補正，フィルタ処理などの、読取り歪を補正する画像処理を施してから、ＭＥＭに蓄積する。ＭＥＭの画像データをプリントアウトするときには、ＩＰＰにおいてＲＧＢ信号をＹＭＣＫ信号に色変換し、プリンタガンマ変換，階調変換，および、ディザ処理もしくは誤差拡散処理などの階調処理などの画質処理をおこなう。画質処理後の画像データはＩＰＰから書込みＩ／Ｆ１３４に転送される。書込みＩ／Ｆ１３４は、階調処理された信号に対し、パルス幅とパワー変調によりレーザー制御をおこなう。その後、画像データは作像ユニット１３５へ送られ、作像ユニット１３５が転写紙上に再生画像を形成する。
【００４１】
ＩＭＡＣは、システムコントローラ３１ａの制御に基づいて、画像データとＭＥＭ，ＨＤＤのアクセス制御，ＬＡＮ上に接続したパソコンＰＣ（以下では単にＰＣと表記）のプリント用データの展開，ＭＥＭ，ＨＤＤの有効活用のための画像データの２次圧縮／伸張、ならびに、各種サーバ（ソフト）を使用する画像ファイルの生成およびＬＡＮ又はインターネットを介する送，受信を行う。
【００４２】
ＩＭＡＣへ送られた画像データは、データ圧縮後、ＭＥＭ又はＨＤＤに蓄積され、蓄積された画像データは必要に応じて読み出される。プリントのために読み出された画像データは、伸張され、１次圧縮データに戻しＩＭＡＣからパラレルバスＰｂを経由してＣＤＩＣへ戻され、ＣＤＩＣで１次伸張されて本来の画像データに戻される。ＣＤＩＣからＩＰＰへの転送後は画質処理をして書込みＩ／Ｆ１３４に出力し、作像ユニット１３５において転写紙（用紙）上に再生画像を形成する。ＬＡＮ又はインターネットを介して送信をする場合には、２次圧縮データのまま或いはＰＣとの共用性が高い別の圧縮方式で圧縮して、ネットワークＩ／Ｆ３８およびルータを介して、ＬＡＮ又はインターネットに送出する。
【００４３】
画像データの流れにおいて、パラレルバスＰｂおよびＣＤＩＣでのバス制御により、デジタル複合機の機能を実現する。ファクシミリ送信は、スキャナ２１０，ＡＤＦ２３０で読取られた画像データをＩＰＰにて画像処理を実施し、ＣＤＩＣおよびパラレルバスＰｂを経由してＦＣＵへ転送することによりおこなわれる。ＦＣＵは、通信網へのデータ変換をおこない、それを公衆回線ＰＮへファクシミリデータとして送信する。ファクシミリ受信は、公衆回線ＰＮからの回線データをＦＣＵにて画像データへ変換し、パラレルバスＰｂおよびＣＤＩＣを経由してＩＰＰへ転送することによりおこなわれる。この場合、特別な画質処理はおこなわず、書込みＩ／Ｆ１３４から出力し、作像ユニット１３５において転写紙上に再生画像を形成する。
【００４４】
複数ジョブ、たとえば、画像読み取り機能，コピー機能，ファクシミリ送受信機能，プリンタ出力機能が並行に動作する状況において、読取ユニット２１１，作像ユニット１３５およびパラレルバスＰｂの使用権のジョブへの割り振りは、システムコントローラ３１ａおよびプロセスコントローラ１３１において制御する。プロセスコントローラ１３１は画像データの流れを制御し、システムコントローラ３１ａはシステム全体を制御し、各リソース（ジョブ）の起動を管理する。また、デジタル複合機の機能選択は、操作ボード２２０においておこなわれ、操作ボード２２０の選択入力によって、画像読取機能，画像データ登録機能，コピー機能，プリント機能，ファクシミリ機能，連結転送機能等の処理内容を設定する。
【００４５】
システムコントローラ３１ａとプロセスコントローラ１３１は、パラレルバスＰｂ，ＣＤＩＣおよびシリアルバスＳｂを介して相互に通信をおこなう。具体的には、ＣＤＩＣ内においてパラレルバスＰｂとシリアルバスＳｂとのデータ，インターフェースのためのデータフォーマット変換をおこなうことにより、システムコントローラ３１ａとプロセスコントローラ１３１間の通信を行う。
【００４６】
各種バスインターフェース、たとえばパラレルバスＩ／Ｆ  ３７、シリアルバスＩ／Ｆ  ３９、ローカルバスＩ／Ｆ  ３３ＡＡおよびネットワークＩ／Ｆ  ３８は、ＩＭＡＣに接続されている。システムコントローラ３１ａは、ＡＣＰ全体の中での独立性を保つために、複数種類のバス経由で関連ユニットと接続する。
【００４７】
システムコントローラ３１ａは、パラレルバスＰｂを介して他の機能ユニットの制御をおこなう。また、パラレルバスＰｂは画像データの転送に供される。システムコントローラ３１ａは、ＩＭＡＣに対して、画像データをＭＥＭ，ＨＤＤに蓄積させるための動作制御指令を発する。この動作制御指令は、ＩＭＡＣ，パラレルバスＩ／Ｆ  ３７、パラレルバスＰｂを経由して送られる。
【００４８】
この動作制御指令に応答して、画像データはＣＤＩＣからパラレルバスＰｂおよびパラレルバスＩ／Ｆ  ３７を介してＩＭＡＣに送られる。そして、画像データはＩＭＡＣの制御によりＭＥＭ又はＨＤＤに格納されることになる。
【００４９】
一方、ＡＣＰのシステムコントローラ３１ａは、ＰＣからのプリンタ機能としての呼び出しの場合、プリンタコントローラとネットワーク制御およびシリアルバス制御として機能する。ネットワーク経由の場合、ＩＭＡＣはネットワークＩ／Ｆ  ３８を介してプリント出力要求データを受け取る。
【００５０】
汎用的なシリアルバス接続の場合、ＩＭＡＣはシリアルバスＩ／Ｆ  ３９経由でプリント出力要求データを受け取る。汎用のシリアルバスＩ／Ｆ  ３９は複数種類の規格に対応している。
【００５１】
ＰＣからのプリント出力要求データはシステムコントローラ３１ａにより画像データに展開される。その展開先はＭＥＭ内のエリアである。展開に必要なフォントデータは、ローカルバスＩ／Ｆ  ３３ａおよびローカルバスＲｂ経由でフォントＲＯＭ３６ａを参照することにより得られる。ローカルバスＲｂは、このコントローラ３１ａを不揮発メモリ３５ａおよびＲＡＭ３４ａと接続する。シリアルバスＳｂに関しては、ＰＣとの接続のための外部シリアルポート３２ａ以外に、ＡＣＰの操作部である操作ボード２２０との転送のためのインターフェースもある。これはプリント展開データではなく、ＩＭＡＣ経由でシステムコントローラ３１ａと通信し、処理手順の受け付け、システム状態の表示等をおこなう。システムコントローラ３１ａとＭＥＭ，ＨＤＤおよび各種バスとのデータ送受信は、ＩＭＡＣを経由しておこなわれる。ＭＥＭ，ＨＤＤを使用するジョブはＡＣＰ全体の中で一元管理される。
【００５２】
ＣＤＩＣは、カラー原稿スキャナ２１０（ＳＢＵ）が出力する画像データを受けて、ＩＰＰに出力する。ＩＰＰは、「スキャナ画像処理」１９０をして、ＣＤＩＣに送りだす。ＣＤＩＣは、パラレルバスＰｂでの転送効率を高めるために画像データの１次圧縮を行う。圧縮した画像デ−タは、パラレルバスＰｂへ送出される。パラレルデータバスＰｂから入力される画像データはバス転送のために１次圧縮されており、ＣＤＩＣで伸張される。伸張された画像データはＩＰＰへ転送される。ＩＰＰでは、「画質処理」によりＲＧＢ画像データをＹＭＣＫ画像データに変換し、プリンタ１００の画像出力用の画像データＹｐ，Ｍｐ，Ｃｐ，Ｋｐに変換してカラープリンタ１００に出力する。
【００５３】
ＣＤＩＣは、パラレルバスＰｂで転送するパラレルデータとシリアルバスＳｂで転送するシリアルデータの変換機能を併せ持つ。システムコントローラ３１ａは、パラレルバスＰｂにデータを転送し、プロセスコントローラ１３１は、シリアルバスＳｂにデータを転送する。ＣＤＩＣは、２つのコントローラ１，１３１の通信のために、パラレル／シリアルデータ変換を行う。
【００５４】
図５に、スキャナ２１０およびＡＤＦ２３０の画像読み取りの電気系統の概要を示す。画像読取基板２１２上の、イメージセンサであるＣＣＤ２０７から出力される電気信号すなわち、Ｒ，Ｇ，Ｂ各色アナログ画像信号はそれぞれ、画像読取基板２１２上の可変ゲインアンプで増幅され、Ａ／Ｄ変換器によってデジタル画像信号すなわち画像データに変換される。この画像データは、画像読取基板２１２上の、シェーディング補正，原稿サイズ検知，画素密度変換および変倍の処理段を経て、ＣＤＩＣ（図４）を介して画像データ処理器ＩＰＰ（図４）に出力される。Ａ／Ｄ変換では、ＣＣＤ２０７が発生し、可変ゲインアンプで増幅されたアナログ画像信号を、画像データにディジタル変換する。
【００５５】
モータ制御基板２１６上のスキャナ制御回路２１７は、ＡＣＰのシステムコントローラ３１ａおよびプロセスコントローラ１３１からの指示に従って、ランプインバータ２１２，中継基板２１３上のランプ制御２１４およびモータ制御基板２１６上のモータ制御およびセンサ読込のインターフェースを制御する。
【００５６】
スキャナ制御回路２１７は、ＡＣＰのシステムコントローラ３１ａから読取開始指示（読取スタート）を受けると、ランプ２３２ａ，２３２ｂを点灯し、ＣＣＤ２０７の読み取りを開始し、副走査駆動モータ２３８（手差しモード）又はＡＤＦモータ（ＡＤＦモード）を駆動開始する。また、副走査有効期間信号ＦＧＡＴＥを高レベルＨ（原稿領域外）にセットする。この信号ＦＧＡＴＥは、手差しモード（フラットベッド読み取り方式）では第１キャリッジが原稿始端位置に達したときに、原稿領域内を示すＬに切り替えられ、ＡＤＦモード（シートスルー読み取り方式）では、レジストローラからの原稿（先端）の送り出し搬送量が、ＡＤＦ１３を使用するＡＤＦモードでの原稿読み取り位置までの送り量に達したときに原稿領域内を示すＬに切り替えられる。そして、手差しモードでは原稿尾端の走査が終わると、ＡＤＦモードでは原稿尾端がＨＰを通過すると、副走査有効期間信号ＦＧＡＴＥは原稿領域外を示すＨに戻される。
【００５７】
ランプ２３２ａ，２３２ｂを駆動するランプインバータ２１２は、ランプ一本毎に１台のインバータを搭載し、各インバータには異常放電等のインバータ回路異常を検出して、異常を外部へ通知することができるように出力端子が設けられている。このようなインバータの電力線および信号線は、ランプ電源ライン、ＧＮＤライン（接地接続線）、駆動クロック線、ランプトリガ線、インバータ異常検知線（Ａ，Ｂ）である。電源ラインは、プリンタＰＴＲの図示を省略した電源供給ユニットから中継基板２１３のランプリレー２０１を介してランプインバータ２１２に接続されていて、必要なランプ駆動電圧を供給する。駆動クロック線は中継基板２１３上のランプ制御回路２１４に接続されている。
【００５８】
ランプ制御回路２１４には、画像読取基板２１２から、ＣＣＤ２０７の画像読取タイミング信号のなかの、ライン同期信号（垂直同期信号）ＬＳＹＮＣおよびライン上の画素区分を表わす画素同期信号ＰＣＬＫが与えられ、ランプ制御回路２１４は、点灯指示信号であるランプトリガが、点灯を指示する高レベルＨの間、ライン同期信号ＬＳＹＮＣに同期し、ＬＳＹＮＣに対して画素同期信号ＰＣＬＫの所定数分の位相差があるランプ駆動クロックを生成して、ランプインバータ２１２に出力する。
【００５９】
ランプトリガ線は中継基板２１３を介してモータ制御基板２１６のスキャナ制御回路２１７に接続されている。インバータ異常検知Ａ線およびインバータ異常検知Ｂ線は、中継基板２１３上のノイズフィルタ２１５ａおよび２１５ｂに接続されており、フィルタ２１５ａおよび２１５ｂでノイズを除去したインバータ異常検知Ａ信号およびインバータ異常検知Ｂ信号は、スキャナ制御回路２１７に出力される。
【００６０】
モータ制御基板２１６のスキャナ制御回路２１７側で、インバータ異常検知Ａ信号およびＢ信号の入力端子部は、インバータ異常時の論理レベルＬと同じになるように入力端子の印加電位が、抵抗を介して低電位Ｌに接続され、コネクタ抜け時に異常判定ができる回路となっている。すなわち、コネクタ抜け時には、スキャナ制御回路２１７の異常検知Ａ，Ｂ信号入力端は異常を表わす低レベルＬとなる。
【００６１】
モータ制御基板２１６は、モータを制御する入出力端子の他に、原稿サイズ検知センサや温度センサ、インバータ異常検知Ａ，Ｂ信号などの入力端子と、画像読取装置内に設置されたファンモータの駆動信号、インバータ電源供給停止信号などの出力端子を持っている。インバータ電源供給停止信号は、もともとランプ高温異常時にランプを強制的に消灯させる機能のためにあるが、インバータ電源供給を許可／不許可する制御信号としても使用することが可能である。モータ制御基板２１６には、モータ制御とその他の付加機能の制御を実現するためのスキャナ制御回路２１７およびインターフェースがあり、スキャナ制御回路２１７にはＣＰＵ，ＲＯＭおよびＲＡＭを含むコンピュータシステムがあり、ソフトウェアによるスキャナ制御を行う。図６に示す読取ユニット２１１の各部には、制御用定電圧（５Ｖ）が与えられるが、制御電圧給電ライン（制御電源ライン）の図示は省略した。
【００６２】
図６に、ランプインバータ２１２の構成を示す。スイッチングレギュレータ２０３ａが昇圧し定電圧に安定化した直流電圧をインバータ２０４ａが昇圧トランスの1次側にチョッピング通電し、これによって誘起した２次側の高圧交流電圧がランプ２３２ａに印加され、この高圧交流電圧によってランプ２３２ａが放電する。すなわち点灯する。もう１つのランプ２３２ｂも同様に、スイッチングレギュレータ２０３ｂおよびインバータ２０４ｂによって点灯駆動される。ランプ２３２ｂ，スイッチングレギュレータ２０３ｂおよびインバータ２０４ｂはそれぞれ、ランプ２３２ａ，スイッチングレギュレータ２０３ａおよびインバータ２０４ａと同一構成および同一機能であり、本実施例では同時に同じ動作をする。そこで以下ではスイッチングレギュレータ２０３ａおよびインバータ２０４ａによるランプ２３２ａの点灯機能のみを説明する。
【００６３】
ランプリレー２０１がオン（導通；通電）のとき、ランプ電源ラインのランプ電源電圧が、昇圧チョツパ方式のスイッチングレギュレータ２０３ａに印加される。ＤＣ／ＤＣ昇圧コンバータであるスイッチングレギュレータ２０３ａは、その出力電圧を分圧抵抗４８ａ，４９ｂを用いて定電圧制御回路４５ａにフィードバックし、定電圧制御回路４５ａにて、コンデンサ５０ａの電圧（出力電圧）を設定範囲内に調整するようにチョッピング周波数（ＦＥＴ４６ａをオン駆動するパルスの周期）を操作する。スイッチングレギュレータ２０３ａの出力電圧は、フライバック方式のインバータ２０４ａの昇圧トランス５１ａの１次巻線の一端に印加される。昇圧トランス５１ａの１次巻線の他端には、ＦＥＴ５３ａが接続されており、ＦＥＴ５３ａは、ワンショット（モノマルチバイブレータ）タイプのスイッチングドライバ５５ａでオン駆動される。
【００６４】
図７に、定電圧制御回路４５ａの構成を示す。定電圧制御回路４５ａには、インバータ異常検知Ａを出力するための出力ラッチであるフリップフロップ７１ａがあり、このフリップフロップ７１ａは、制御電圧給電ラインに制御用定電圧（５Ｖ）が印加される制御電源オン時に、モータ制御基板２１６上の図示を省略した電源オンリセット回路が発生する制御電源オンリセットパルスによってリセットされて、そのＱバー（オーバライン付きＱ）出力（インバータ異常検知Ａ）を高レベルＨ（正常を意味する）に設定する。このＱバー出力（Ｈ）がアンドゲート７２ａのゲートを開く。すなわちランプトリガ信号のランプ点灯を指示するＨの通過を可能にする。ランプトリガ信号が、ランプ消灯を指定する低レベルＬからランプ点灯を指示するＨに切り替わると、電圧制御周波数可変発振器（Ｖｃｏ）７３ａがこのＨ（発振許可）に応答して基本周波数の発信を開始し、所定時間後に、分圧抵抗４９ａの電圧（フィードバック電圧）に反比例して発振周波数を高，低するフィードバック周波数制御を開始する。Ｖｃｏ  ７３ａの発振信号はＦＥＴドライバ７４ａでＦＥＴ４６ａ駆動レベルに増幅されてＦＥＴ４６ａのゲートに印加されるので、ＦＥＴ４６ａがＶｃｏ  ７３ａの発振信号の周波数でオン／オフし、そのオン期間に電気コイル（チョークコイル）がランプ電源電力を蓄積しオフに切換わると高圧電流を誘発してダイオード４７ａを通してコンデンサ５０ａを高圧充電する。コンデンサ５０ａの充電電圧は分圧抵抗４８ａ，４９ａで分圧（降圧）してＶｃｏ  ７３ａにフィードバックされ、Ｖｃｏ  ７３ａのフィードバック制御により、コンデンサ５０ａの充電電圧が設定範囲内に安定化する。
【００６５】
本実施例では、ランプインバータ２１２のランプ２３２ａ系の異常を検出して出力する為に、Ｖｃｏ  ７３ａの発振出力の周波数を電圧レベルに変換するＦ／Ｖコンバータ７５ａ，周波数（に対応するレギュレータ出力電圧）の過小，過大を判定する比較器７６ａ，７７ａ，判定結果の論理輪を出力するオアゲート７８ａおよび異常検出信号出力ラッチであるフリップフロップ７１ａが、定電圧制御回路４５ａに加えられており、また、異常時にはＶｃｏ  ７３ａの動作を停止するためのアンドゲート７２ａが加えられている。Ｖｃｏ  ７３ａの発振周波数が設定範囲内にあると、比較器７６ａおよび７７ａの出力がいずれもＬであるので、オアゲート７８ａの出力はＬである。
【００６６】
Ｖｃｏ  ７３ａの発振周波数が下限値未満に低下すると、比較器７６ａの出力がＬからＨに転じこれによりオアゲート７８ａの出力も同様にＬからＨに転じて、フリップフロップ７１ａが、該ＬからＨへの立上りに応答してセット状態に転ずる。すなわちフリップフロップ７１ａのＱバー出力（インバータ異常検知Ａ）が、Ｈ（正常）からＬ（異常）に切換わる。この現象の原因には、Ｖｃｏ  ７３ａの故障，抵抗４９ａの電圧フィードバックラインの短絡（線間接触），レギュレータ２０３ａからインバータ２０４ａへの給電ライン以降の断線等が考えられる。
【００６７】
Ｖｃｏ  ７３ａの発振周波数が上限値超に上昇すると、比較器７７ａの出力がＬからＨに転じこれによりオアゲート７８ａの出力も同様にＬからＨに転じて、フリップフロップ７１ａが、該ＬからＨへの立上りに応答してセット状態に転ずる。すなわちフリップフロップ７１ａのＱバー出力（インバータ異常検知Ａ）が、Ｈ（正常）からＬ（異常）に切換わる。この現象の原因には、ランプ電源ラインの断線又は地絡，Ｖｃｏ  ７３ａの故障，抵抗４９ａの電圧フィードバックラインの地絡，レギュレータ２０３ａからインバータ２０４ａへの給電ライン以降の地絡等が考えられる。
【００６８】
なお、制御電源電圧オン直後の電源オンリセットパルスでフリップフロップ７１ａがリセットされ、接続不良が無ければＱバー出力（インバータ異常検知Ａ）がＨ（正常）となった後の、ライントリガ信号が、ランプ消灯を指定する低レベルＬの間の、フリップフロップ７１ａのＱバー出力（インバータ異常検知Ａ）のＬ（異常）は、インバータ異常検知Ａの出力ラインの接地（地絡：機器アースＧＮＤへの接触）と考えられる。
【００６９】
図８および図９に、スキャナ制御回路２１７（図５）の、主にランプインバータ２１２の異常監視処理の概要を示す。まず図８を参照する。制御電源ラインに制御電圧が印加されこれによりスキャナ制御回路２１７に動作電圧が加わると、スキャナ制御回路２１７のＣＰＵは、初期化（ステップ１）を実行し、初期化（ステップ１）の中で、操作ボード２２０の不揮発メモリから異常検知指定データＦＬａｂを読み出して該ＣＰＵの内部ＲＡＭの一領域に定めた異常検知指定レジスタＦＬａｂに書込む。初期化（ステップ１）を終了すると、該ＣＰＵは、異常検知指定レジスタＦＬａｂの異常検知指定データＦＬａｂを参照する（ステップ２）。
【００７０】
なお、操作ボード２２０（図１，図４）には、初期設定キーを含む多くのキー群とディスプレイならびにＣＰＵ，ＲＯＭ，ＲＡＭ，ＮＶＲＡＭ（不揮発メモリ）等があり、オペレータが、初期設定キーを押すことによりディスプレイには初期設定メニューが表示され、メニュー上の各項目を指定することにより、各種初期設定のデータ入力又は選択指定を実行することができる。スキャナの初期設定の項目の中に、照明ランプ駆動の異常検知の指定／解除があり、そこでオペレータが「指定」を選択すると、不揮発メモリのランプ駆動の異常検知指示レジスタにＨ（異常検知の実行を指定）が書込まれ、「解除」を選択すると、Ｌ（異常検知せずを指定）が書き込まれる。この書込みが行われたときに、該ランプ駆動の異常検知指示レジスタに書込まれたデータが、スキャナ制御回路２１７に転送されてスキャナ制御回路２１７のＣＰＵの異常検知指定レジスタＦＬａｂに書込まれる。複写機の電源が落された後、電源が再投入されて複写機各部に制御電源電圧が給電された電源オン直後に、システムコントローラ３１ａによるシステム初期化の過程で、システムコントローラ３１ａの管理のもとに、スキャナ制御回路２１７のＣＰＵが、操作ボード２２０の不揮発メモリのランプ駆動の異常検知指定レジスタのデータを読出して該ＣＰＵの異常検知指定レジスタＦＬａｂに書込む。
【００７１】
なお以下においては、括弧内には、ステップという語を省略して、ステップ番号数字のみを記す。
【００７２】
図８のステップ２でスキャナ制御回路２１７（のＣＰＵ；以下同様）は、異常検知指定レジスタＦＬａｂのデータＦＬａｂを参照して、それがＨ（異常検知の実行を指定）であると、「異常検知１」を実行する。
【００７３】
−異常検知１−
スキャナ制御回路２１７はまず、回数レジスタＮＲに数値１を表すデータを書込み、回数レジスタＮＲＡおよびＮＲＢのデータは数値０を表わすものに初期化する（３）。なお、この時点では、ランプリレー２０１がオフ、ランプトリガ信号がＬ（消灯指示）でスイッチングレギュレータ２０３ａ，２０３ｂは停止しており、定電圧制御回路４５ａ，４５ｂのフリップフロップ（７１ａ）は電源オンリセットパルスでリセットされてそのＱバー出力（インバータ異常検知Ａ信号，インバータ異常検知Ｂ信号）はいずれも、Ｈである。ただしこれは、インバータ異常検知Ａ信号線，インバータ異常検知Ｂ信号線が正常な場合であり、信号線が地絡（機器アースＧＮＤに短絡）している場合には、Ｌ（異常）である。
【００７４】
スキャナ制御回路２１７は、ランプインバータ２１２のインバータ異常検知Ａ信号およびインバータ異常検知Ｂ信号を参照する（４，６）。そして、Ａ信号がＬ（異常）であると回数レジスタＮＲＡのデータを１インクレメントし（５）、Ｂ信号がＬ（異常）であると回数レジスタＮＲＢのデータを１インクレメントする（７）。そして回数レジスタＮＲのデータがｍ（数値ｍを表すデータ；以下同様）になったかチェックして（８）、ｍになっていないと回数レジスタＮＲのデータを１インクレメントして（９）、またＡ信号およびＢ信号を参照する（４，６）。そしてＡ，Ｂ信号がＬであると回数レジスタＮＲＡ，ＮＲＢのデータを１インクレメントする（５，７）。
【００７５】
回数レジスタＮＲのデータがｍになると、すなわちｍ回Ａ，Ｂ信号の参照を繰り返すと、回数レジスタＮＲＡ，ＮＲＢのデータがｎ以上かチェックして（１０，１２）、回数レジスタＮＲＡのデータがｎ以上であると、操作ボード２２０のディスプレイに「ランプ２３２ａの異常報知線が地絡」を表わす情報を表示し、そこでランプ駆動制御および異常監視を停止する（１１）。回数レジスタＮＲＢのデータがｎ以上であったときは、操作ボード２２０のディスプレイに「ランプ２３２ｂの異常報知線が地絡」を表わす情報を表示し、そこでランプ駆動制御および異常監視を停止する（１３）。
【００７６】
インバータ異常検知Ａ信号線およびインバータ異常検知Ｂ信号線にはノイズフィルタ２１５ａおよび２１５ｂを接続しているので、インバータ異常検知Ａ信号線およびインバータ異常検知Ｂ信号線の電位が、ノイズによってＬにふらつく可能性は少ないが、信号線が地絡と誤検出するのを防止する為に、上述のように複数ｍ回Ａ，Ｂ信号を参照して、ｍ以下の複数ｎ回以上該信号がＬであると、信号線が地絡している（地絡異常）、と決定する。
【００７７】
−異常検知２−
これは、原稿読取期間外で、ランプを点灯してランプインバータ２１２の異常を判定するものである。ここではランプ制御回路２１７は、インバータ電源供給停止信号を、インバータ電源供給を指示するＨとし、すなわちランプリレー２０１をオン（導通：通電）とし（１４）、しかもランプトリガ信号をオン（ランプ点灯を指定するＨ）とする（１５）。ランプトリガ信号がＨ（オン）になると、該Ｈの間、ランプ制御回路２１４が、ＣＣＤ２０７による画像読取のライン同期信号ＬＳＹＮＣに同期したランプ駆動クロックを出力する。ランプトリガ信号のＨに応答してスイッチングレギュレータ２０３ａ，２０３ｂが定電圧出力を開始し、インバータ２０４ａ，２０４ｂが、ランプ駆動クロックの各パルス（Ｈ）に応答するランプ２３２ａ，２３２ｂの点灯駆動を開始し、これらにより、ランプ２３２ａ，２３２ｂが点灯する（正常時）。
【００７８】
次にスキャナ制御回路２１７は、回数レジスタＮＲに数値１を表すデータを書込み、ＮＲＡおよびＮＲＢのデータは数値０を表わすものに初期化する（１６）。そしてランプインバータ２１２のインバータ異常検知Ａ信号およびインバータ異常検知Ｂ信号を参照する（１７，１９）。Ａ信号がＬ（異常）であると回数レジスタＮＲＡのデータを１インクレメントし（１８）、Ｂ信号がＬ（異常）であると回数レジスタＮＲＢのデータを１インクレメントする（２０）。そして回数レジスタＮＲのデータがｍになったかチェックして（２１）、ｍになっていないと回数レジスタＮＲのデータを１インクレメントして（２２）、またＡ信号およびＢ信号を参照する（１７，１９）。そしてＡ，Ｂ信号がＬであると回数レジスタＮＲＡ，ＮＲＢのデータを１インクレメントする（１８，２０）。
【００７９】
回数レジスタＮＲのデータがｍになると、すなわちｍ回Ａ，Ｂ信号の参照を繰り返すと、回数レジスタＮＲＡ，ＮＲＢのデータがｎ以上かチェックして（２３，２５）、回数レジスタＮＲＡのデータがｎ以上であると、操作ボード２２０のディスプレイに「ランプ２３２ａのインバータが異常」を表わす情報を表示し、そこでランプ駆動制御および異常監視を停止する（２４）。回数レジスタＮＲＢのデータがｎ以上であったときは、操作ボード２２０のディスプレイに「ランプ２３２ｂのインバータが異常」を表わす情報を表示し、そこでランプ駆動制御および異常監視を停止する（２６）。
【００８０】
インバータ異常検知Ａ信号線およびインバータ異常検知Ｂ信号線にはノイズフィルタ２１５ａおよび２１５ｂを接続しているので、インバータ異常検知Ａ信号線およびインバータ異常検知Ｂ信号線の電位が、ノイズによってＬにふらつく可能性は少ないが、ノイズによってインバータ異常と誤検出するのを防止する為に、上述のように複数ｍ回Ａ，Ｂ信号を参照して、ｍ以下の複数ｎ回以上該信号がＬであると、インバータ異常と決定する。
【００８１】
−正常時の読取スタート指示待ち−
図９を参照する。異常検知２を終了し、異常を検出しなかったときには、スキャナ制御回路２１７は、Ｔｗ時限のタイマＴｗをスタートして（２７）、システムコントローラ３１ａからの原稿読取スタート指示を待つ（２８）。スタート指示がなく、タイマＴｗがタイムオーバすると、インバータ電源供給停止信号を、停止を指定するＬとしてランプリレー２０１をオフ（非導通：通電断）とし、ランプトリガ信号をランプ消灯を指定するオフ（Ｌ）とする（２９，３０）。そしてレジスタＰＦＯのデータを、ランプ消灯中を表わす「１」として（３１）、スタート指示を待つ（２８）。
【００８２】
スタート指示が到来するとスキャナ制御回路２１７は、レジスタＰＦＯのデータを参照して（３２）、それが「１」（ランプ消灯中）であるときには、「０」（点灯中）に書き換えて（３３）、インバータ電源供給停止信号を、インバータ電源供給を指示するＨとし（３４）、しかもランプトリガ信号をオン（Ｈ）とする（３５）。これらにより、ランプ２３２ａ，２３２ｂが点灯する（正常時）。スキャナ制御回路２１７は次に、レジスタＦＬａｂのデータを参照して（３６）、それが異常検知を指定する「１」であると、次の異常検知３を実行する。
【００８３】
−異常検知３−
ここでは、回数レジスタＮＲＡおよびＮＲＢのデータを数値０を表わすものに初期化してから（３７）、ランプインバータ２１２のインバータ異常検知Ａ信号およびインバータ異常検知Ｂ信号を参照する（３８，４２）。そして、Ａ信号がＬ（異常）であると回数レジスタＮＲＡのデータを１インクレメントし（３９）、該データが複数値ｋになったかをチェックして（４０）、複数値ｋになったときには、操作ボード２２０のディスプレイに「ランプ２３２ａのインバータが異常」を表わす情報を表示し、そこでランプ駆動制御および異常監視を停止する（４１）。これによりランプ２３２ａ，２３２ｂが消灯する。Ｂ信号がＬ（異常）であると回数レジスタＮＲＢのデータを１インクレメントし（４３）、該データが複数値ｋになったかをチェックして（４４）、複数値ｋになったときには、操作ボード２２０のディスプレイに「ランプ２３２ｂのインバータが異常」を表わす情報を表示し、そこでランプ駆動制御および異常監視を停止する（４５）。これによりランプ２３２ａ，２３２ｂが消灯する。
【００８４】
この異常検知３は、上記異常との判定が成立しない限り、原稿読取の終了まで継続する。原稿読取が終了すると、タイマＴｗをスタートして（２７）、原稿読取スタート指示の到来を待ち（２８）、読取スタート指示が到来すると、ランプ点灯中であるので、ステップ３２から３６に跳んで、上述の異常検知３を再開する。読取スタート指示がなく、タイマＴｗがタイムオーバすると、ランプリレー２０１をオフに、ランプトリガをオフにしてランプ２３２ａ，２３２ｂを消灯して（２９，３０）、レジスタＦＰＯのデータをランプ消灯中（「１」）に更新して（３１）、原稿読取スタート指示の到来を待つ（２８）。
【００８５】
スキャナ制御回路２１７は、上記異常検知３では、原稿読取スタートから終了までの間にｋ回Ｌ（異常）を読み取ると、そこでインバータ異常と決定する。これも、ノイズによってインバータ異常と誤検出するのを防止する為である。
【００８６】
図１０には、上述の各種制御信号の変化と、異常検知１〜３の実行期間を示す。なお、異常検知指定レジスタＦＬａｂの異常検知指定データＦＬａｂが、「０」（異常検知をしない指定）のときには、ステップ２からステップ２７に跳んでステップ２７〜３５は実行するが、ステップ３６からステップ４６に進んで読取り終了を待って、終了するとステップ２７に戻るので、スキャナ制御回路２１７は、上述の異常検知１〜３のいずれも実行しない。
【００８７】
上述の異常検知１〜３を実行し異常との判定が成立すると、ランプ２３２ａ，２３２ｂは消灯して操作ボード２２０のディスプレイに異常内容を表示してランプ点灯制御を停止する。この場合は、制御電源を一旦遮断（オフ）にしてから再投入しなければ、ランプ点灯制御は再開されない。異常との誤判定が頻繁に起こる場合にも原稿読み取りを実行したい場合には、オペレータは、操作ボード２２０を使用する初期設定により、異常検知指定レジスタＦＬａｂの異常検知指定データＦＬａｂを異常検知の不実行を指定する「０」に切り換える。
【００８８】
また、装置設計又は組み立て時の仕様変更もしくは、ランプインバータの故障時の取り替えにより、ランプインバータ２１２が、インバータ異常検知機能が無いものとなったときには、操作ボード２２０を使用する初期設定により、異常検知指定レジスタＦＬａｂの異常検知指定データＦＬａｂを異常検知の不実行を指定する「０」に切り換える。これにより、スキャナ制御回路２１７による、異常検知信号線が無いことによる異常との誤認とランプ消灯保持がなくなり、原稿読み取りが可能となる。
【００８９】
上述のように、ランプインバータ２１２は、ランプトリガ信号が点灯指示レベルＨの場合に動作異常を検出できるものであり、一度異常を検知すると、異常検知信号（Ｌ）を保持し出力するラッチであるフリップフロップ（７１ａ）で異常検知信号（Ｌ）を保持し、スイッチングレギュレータ２０３ａ，２０３ｂの動作を停止し、スキャナ制御回路２１７が、ランプ電源ライン（リレー２０１）をオフ（遮断）する。
【００９０】
仮に、インバータ異常検知Ａ，Ｂ信号の論理が、低レベルＬで正常、高レベルＨで異常となるような仕様ならば、モータ制御基板２１６の入力端子部は、高レベルＨに固定（バイアス；電位設定）することで、コネクタ抜けと断線時にＨとなり、異常と検知できる。ただし、この論理だと異常検知Ａ，Ｂ信号線の被覆が剥がれてＧＮＤショートが生じた場合にも、信号レベルがＬで正常と検知されてしまうため、信号線の接続不良（地絡）の異常検知ができない。そこで上述の実施例では、インバータ異常検知Ａ，Ｂ信号の論理を高レベルＨで正常、低レベルＬで異常と設定した。また、異常検知Ａ，Ｂ信号に入る主なノイズとして、ランプ駆動クロックが考えられるので、フィルタ２１５ａ，２１４ｂは、ランプ駆動クロックの周波数帯を中心にノイズを遮断するものとした。
【００９１】
なお、上記実施例では、２個の比較器７６ａおよび７７ａで、Ｖｃｏ  ７３ａが異常低周波出力となる、レギュレータ出力電圧ラインの異常高圧、および、Ｖｃｏ  ７３ａが異常高周波出力となる、レギュレータ出力電圧ラインの異常低圧を検出し、いずれか一方の異常を検出するとオアゲート７８ａの出力をＬからＨに切り換えてフリップフロップ７１ａをセットして異常検知Ａ信号線（Ｑバー出力）をＨ（正常）からＬ（異常）に切り換えるようにしている。しかし、オアゲート７８ａを省略してフリップフロップをもう１個追加して、１つの比較器の出力のＬからＨへの立上りで１つのフリップフロップをセットするようにしても良い。この場合には、異常検知Ａ信号線が２本となり、１本の信号線の信号がＶｃｏ  ７３ａが異常高周波出力となる、レギュレータ出力電圧ラインの異常低圧（レギュレータ出力ライン以降の短絡異常）の有無を表し、もう１本の信号線の信号がＶｃｏ  ７３ａが異常低周波出力となる、レギュレータ出力電圧ラインの異常高圧（レギュレータ出力ライン以降の断線異常）の有無を表す。逆に、異常検知モードを特定の１つのみとする場合には、比較器の１個とオアゲート７８ａを省略する。
【図面の簡単な説明】
【００９２】
【図１】本発明の１実施例の照明装置を装備した、複合画像処理機能があるフルカラー複写機の外観を示す拡大正面図である。
【図２】図１に示すカラープリンタＰＴＲの拡大縦断面図である。
【図３】図１に示すカラースキャナ２１０およびＡＤＦ２３０の拡大縦断面図である。
【図４】図１に示す複写機内の、画像処理システムの構成を示すブロック図である。
【図５】図３に示す原稿スキャナ２１０とＡＤＦ２３０の組み合わせ部分の電気系統の概要を示すブロック図である。
【図６】図５に示すランプインバータ２１２の構成を示すブロック図である。
【図７】図６に示す定電圧制御回路４５ａの構成を示すブロック図である。
【図８】図５に示すスキャナ制御回路２１７の内部のＣＰＵによる、主にランプ点灯制御およびインバータ異常判定処理の概要を示すフローチャートの一部である。
【図９】図５に示すスキャナ制御回路２１７の内部のＣＰＵによる、主にランプ点灯制御およびインバータ異常判定処理の概要を示すフローチャートの残部である。
【図１０】図６に示すランプインバータ２１２の入出力信号の変化と、スキャナ制御回路２１７のＣＰＵによる異常検知１〜３の区間とを示すタイムチャートである。
【符号の説明】
【００９３】
８：第１トレイ      ９：第２トレイ
１０：第３トレイ    １１：第１給紙装置
１２：第２給紙装置  １３：第３給紙装置
１４：縦搬送ユニット
１５：感光体        １６：搬送ベルト
１７：定着ユニット  １８：排紙ユニット
１９：分岐爪        ２６：搬送モータ
２７：現像器        １００：フィニシャ
１０１：切り替え板  １０３：排紙ローラ
１０４：排紙トレイ  １０５：搬送ローラ
１０６：ステープラ  １０７：搬送ローラ
１０８：ステープル台
１０９：ジョガー    １１０：排紙トレイ
１１１：両面給紙ユニット
１１２：反転ユニット
２０１：ランプリレー
２０７：ＣＣＤ
２３１：原稿台ガラス
２３２ａ，ｂ：照明ランプ
２３３：第１ミラー  ２３４：第２ミラー
２３５：第３ミラー  ２３６：レンズ
２３８：モータ      ２３９：基準白板
２４０：ガラス      ２４１：原稿トレイ
２４２：ピックアップローラ
２４３：レジストローラ対
２４４：搬送ドラム  ２４５：押さえローラ
２４６，２４７：排紙ローラ
２４８：排紙トレイ兼用の圧板
２４９：基点センサ  ２５１：スケール
２５２：圧板開度検出スイッチ
【図１】
2006319521.tif 000003
【図２】
2006319521.tif 000004
【図３】
2006319521.tif 000005
【図４】
2006319521.tif 000006
【図５】
2006319521.tif 000007
【図６】
2006319521.tif 000008
【図７】
2006319521.tif 000009
【図８】
2006319521.tif 000010
【図９】
2006319521.tif 000011
【図１０】
2006319521.tif 000012